(57)【要約】      （修正有）【課題】容易に開封せず、しっかり封が可能でありながら、封をしやすくした梱包容器を提供する。【解決手段】梱包容器の一面をなす重なり合う２つの片面段ボールシートとなる、内側シート１０と、外側シート１２と、を備え、外側シートには、開口部１３が設けられ、内側シートには、開口部の通過を妨げるように突出した係止部１１ａを有する鍔片１１が設けられ、鍔片は、係止部を変形させた状態で開口部を通過し、係止部を復元し、鍔片が逆走できないように開口部に係止させて、それによって外側シートを内側シートに係止する。【選択図】図１
0003206720.tif 000002
【実用新案登録請求の範囲】
【請求項１】
片面段ボールからなる梱包容器において、
前記梱包容器の一面をなす重なり合う２つの片面段ボールシートとなる、内側シートと、外側シートと、を備え、
前記外側シートは、開口部が設けられ、
前記内側シートは、前記開口部の通過を妨げるように突出した係止部を有する鍔片が設けられ、
前記鍔片は、前記係止部を変形させた状態で前記開口部を通過し、前記係止部を復元し、前記鍔片が逆走できないように前記開口部に係止させて、それによって前記外側シートを前記内側シートに係止することを特徴とする梱包容器。
【請求項２】
前記係止部が、前記鍔片を構成する前記片面段ボールの中芯の方向とは異なる方向に突出していることを特徴とする請求項１に記載の梱包容器。
【請求項３】
前記鍔片が、前記外側シートの表面に起立させることが可能であることを特徴とする請求項１又は請求項２に記載の梱包容器。
【請求項４】
前記鍔片が、前記内側シートから切り起こして形成されることを特徴とする請求項１乃至３のいずれか１項に記載の梱包容器。
【請求項５】
前記開口部が、前記開口部を通過するように前記鍔片を案内するガイド片を有することを特徴とする請求項１乃至４のいずれか１項に記載の梱包容器。
【請求項６】
前記開口部が、前記開口部を通過した前記鍔片を押さえる押圧片を有することを特徴とする請求項１乃至４のいずれか１項に記載の梱包容器。
【請求項７】
前記開口部が、両端が同じ方向に曲がったスリットであることを特徴とする請求項５又は請求項６に記載の梱包容器。
【請求項８】
前記ガイド片が、略Ｕ字状に切り込まれた第１の差し込み穴を有し、
前記鍔片が、略逆Ｕ字状に切り込まれた第１の差し込み部を有し、
前記第１の差し込み穴に前記第１の差し込み部を挿入するロック機構を備えることを特徴とする請求項５の梱包容器。
【請求項９】
前記押圧片が、略Ｕ字状に切り込まれた第２の差し込み部を有し、
前記鍔片が、略逆Ｕ字状に切り込まれた第２の差し込み穴を有し、
前記第２の差し込み穴に前記第２の差し込み部を挿入するロック機構を備えることを特徴とする請求項６に記載の梱包容器。
【考案の詳細な説明】
【技術分野】
【０００１】
本考案は、片面段ボールからなる梱包容器に関する。
【背景技術】
【０００２】
従来より、片面段ボールからなる梱包容器が提案されている。例えば、特許文献１の携帯用お香パッケージがある。この従来の携帯用お香パッケージは、ストッパーホールを有する内側スライドケースとストッパーを有する外側スリーブとを、ストッパーがストッパーホールに嵌合するように組み立ててなるものである。
【先行技術文献】
【特許文献】
【０００３】
【特許文献１】実用新案登録第３０８６９８６号公報
【考案の概要】
【考案が解決しようとする課題】
【０００４】
しかしながら、従来の梱包容器である携帯用お香パッケージでは、ストッパーがストッパーホールに嵌合するようになっているだけで、嵌合が弱く、容易に開封してしまうという問題があった。
【０００５】
本考案は、このような事情に鑑みてなされたもので、容易に開封せず、しっかり封が可能でありながら、封をしやすくした梱包容器を提供することにある。
【課題を解決するための手段】
【０００６】
請求項１記載の梱包容器は、梱包容器の一面をなす重なり合う２つの片面段ボールシートとなる、内側シートと、外側シートと、を備え、外側シートは、開口部が設けられ、内側シートは、開口部の通過を妨げるように突出した係止部を有する鍔片が設けられ、鍔片は、係止部を変形させた状態で開口部を通過し、係止部を復元し、鍔片が逆走できないように開口部に係止させて、それによって外側シートを内側シートに係止することを特徴とする。
【０００７】
請求項２記載の梱包容器は、係止部が、鍔片を構成する片面段ボールの中芯の方向とは異なる方向に突出していることを特徴とする。
【０００８】
請求項３記載の梱包容器は、鍔片が、外側シートの表面に起立させることが可能であることを特徴とする。
【０００９】
請求項４記載の梱包容器は、鍔片が、内側シートから切り起こして形成されることを特徴とする。
【００１０】
請求項５記載の梱包容器は、開口部が、開口部を通過するように鍔片を案内するガイド片を有することを特徴とする。
【００１１】
請求項６記載の梱包容器は、開口部が、開口部を通過した鍔片を押さえる押圧片を有することを特徴とする。
【００１２】
請求項７記載の梱包容器は、開口部が、両端が同じ方向に曲がったスリットであることを特徴とする。
【００１３】
請求項８記載の梱包容器は、ガイド片が、略Ｕ字状に切り込まれた第１の差し込み穴を有し、鍔片が、略逆Ｕ字状に切り込まれた第１の差し込み部を有し、第１の差し込み穴に第１の差し込み部を挿入するロック機構を備えることを特徴とする。
【００１４】
請求項９記載の梱包容器は、押圧片が、略Ｕ字状に切り込まれた第２の差し込み部を有し、鍔片が、略逆Ｕ字状に切り込まれた第２の差し込み穴を有し、第２の差し込み穴に第２の差し込み部を挿入するロック機構を備えることを特徴とする。
【考案の効果】
【００１５】
本願考案の梱包容器によれば、容易に開封せず、しっかり封が可能でありながら、封をしやすくすることができる。
【図面の簡単な説明】
【００１６】
【図１】本考案に係る梱包容器の一例の封をする前の状態を示す斜視図である。
【図２】本考案に係る梱包容器の一例の封をする過程を示す斜視図である。
【図３】本考案に係る梱包容器の一例の封をする過程を示す斜視図である。
【図４】本考案に係る梱包容器の一例の封をした状態を示す斜視図である。
【図５】本考案に係る梱包容器の他の例の封をする前の状態を示す斜視図である。
【図６】本考案に係る梱包容器の他の例の封をする過程を示す斜視図である。
【図７】本考案に係る梱包容器の他の例の封をする前の状態を示す斜視図である。
【図８】本考案に係る梱包容器の他の例の封をする前の状態を示す斜視図である。
【図９】本考案に係る梱包容器の他の例の封をした状態を示す斜視図である。
【図１０】本考案に係る梱包容器の他の例の封をする前の状態を示す斜視図である。
【図１１】本考案に係る梱包容器の他の例の封をする前の状態を示す斜視図である。
【図１２】本考案に係る梱包容器の他の例の封をする前の状態を示す斜視図である。
【考案を実施するための形態】
【００１７】
以下、本考案に係る梱包容器の一例の形態について図面を参照しながら具体的に説明する。図１は、本考案に係る梱包容器の一例に係る梱包容器の封をする前の斜視図である。図２及び３は、本考案に係る梱包容器の一例に係る梱包容器の封をする過程を示す斜視図である。図４は、本考案に係る梱包容器の一例の封をした状態を示す斜視図である。
【００１８】
図１乃至４に示す梱包容器１は、片面段ボールのシートを重ね合わせて上面の封をする略矩形状の容器である。図１に示すように、梱包容器１を構成する片面段ボールの中芯の谷線１００は、梱包容器１の表面に露出する。梱包容器１は、内側シート１０と、外側シート１２と、を備える。
【００１９】
図２乃至４に示すように、内側シート１０及び外側シート１２は、重なり合って梱包容器１の上面となる。内側シート１０及び外側シート１２は、谷線１００の方向に向かい合う梱包容器１の一対の側壁とそれぞれ連続している。
【００２０】
外側シート１２は、略長方形状の開口部１３を備える。内側シート１０は、内側シート１０から切り起こした鍔片１１を有する。鍔片１１は、内側シート１０の連続する辺の側の端部が内側シート１０と連続する、内側シート１０に設けられた略長方形状の切り込みを引き起こして形成される。
【００２１】
鍔片１１は、開口部１３に対し、開口部１３の周縁の外側に突出する係止部１１ａを有する。係止部１１ａは、鍔片１１を構成する片面段ボールの中芯の谷線１００の方向と直交する方向の両端を半円状に延伸して形成される。
【００２２】
梱包容器１は、以下のようにして使用される。図２に示すように、鍔片１１を内側シート１０の表面側に引き起こし、外側シート１２と内側シート１０とを重ね合わせる。係止部１１ａは、片面段ボールの中芯の谷線１００に沿って鍔片１１の表面側に曲げられる。係止部１１ａは、鍔片１１の裏面側に曲げてもよく、折り畳んでもよい。
【００２３】
図３に示すように、係止部１１ａを曲げた状態で、鍔片１１を開口部１３に内側シート１０側から挿入する。この時、鍔片１１を構成する片面段ボールの中芯の谷線１００の向きは、鍔片１１を開口部１３に挿入する向きと略同一である。そして、図４に示すように、鍔片１１が開口部１３を通過した後、係止部１１ａを含む鍔片１１を元の形状に戻し、係止部１１ａを開口部１３に係止させる。このようにして、外側シート１２を内側シート１０に固定させる。
【００２４】
以上のように、本考案に係る梱包容器の一例に係る梱包容器１によれば、係止部１１ａが開口部１３に係止されることにより外側シート１２を内側シート１０に固定させる鍔片１１が外側シート１２をしっかり保持し、容易に開封せず、しっかり封が可能でありながら、封をしやすくしている。
【００２５】
また、係止部１１ａは、片面段ボールの中芯の谷線１００に沿って曲げられるため、片面段ボールの中芯が潰れることはない。更に、片面段ボールは片面にしかライナーがないため、係止部１１ａを曲げることによって、引張応力によりライナーが破れることはない。更に、係止部１１ａを曲げることによって、谷線１００の部分に多少の折り目がついても、連続する片面段ボールの中芯に埋もれて目立たない。
【００２６】
本考案に係る梱包容器は、図１乃至４に限られるものではない。図５及び６に示すような、梱包容器２であってもよい。図５は、本考案に係る梱包容器の他の例の封をする前の状態を示す斜視図であり、図６は、本考案に係る梱包容器の他の例の封をする過程を示す斜視図である。図５及び６に示すように、梱包容器２の外側シート２２には、押圧片２４が設けられている。
【００２７】
図６に示すように、押圧片２４は、鍔片２１が開口部２３に挿入される際に鍔片２１の表面側となる、開口部２３の周縁を開口部２３の内側に向かって延伸して形成される。押圧片２４は、開口部２３を通過した鍔片２１の表面に接して鍔片２１を押圧し、鍔片２１の裏面を外側シート２２の表面に押しつけ、鍔片２１を固定する。
【００２８】
また、本考案に係る梱包容器は、図７に示すような、梱包容器３であってもよい。図７は、本考案に係る梱包容器の他の例の封をする前の状態を示す斜視図である。図７に示すように、梱包容器３の外側シート３２には、ガイド片３５が設けられている。
【００２９】
ガイド片３５は、鍔片３１が開口部３３に挿入される際に鍔片３１の裏面側となる、開口部３３の周縁を開口部３３の内側に向かって延伸して形成される。ガイド片３５は、鍔片３１が開口部３３に挿入される際に、鍔片３１の裏面に接して、鍔片３１の先端を開口部３３に案内する。
【００３０】
また、本考案に係る梱包容器は、図８及び９に示すような、ロック機構を備える梱包容器４であってもよい。図８は、本考案に係る梱包容器の他の例の封をする前の状態を示す斜視図であり、図９は、本考案に係る梱包容器の他の例の封をした状態を示す斜視図である。梱包容器４の鍔片４１は、第１の係合突起４１ｂを有する。梱包容器４のガイド片４５は、第１の係合孔４５ａを有する。
【００３１】
鍔片４１には、底部が内側シート４０の連続する辺の側を向くように、略Ｕ字状の切り込みが設けられ、鍔片４１の表面側から押圧することで鍔片４１の裏面に突出する、第１の係合突起４１ｂを形成する。ガイド片４５には、外側シート４２と内側シート４０とが重なり合った状態で、第１の係合突起４１ｂの切り込みと逆向きになる略逆Ｕ字状のスリットが設けられ、第１の係合孔４５ａを形成する。
【００３２】
図９に示すように、鍔片４１が開口部４３を通過した状態で、第１の係合突起４１ｂの先端を第１の係合孔４５ａに挿入する。このようにして、鍔片４１とガイド片４５とを係合するロック機構を形成する。鍔片４１を形成する切り込みには、鍔片４１を引き起こし易くするための切り欠き４６が含まれていてもよい。
【００３３】
また、本考案に係る梱包容器の備えるロック機構は、図１０に示すような、梱包容器５が備えるロック機構であってもよい。図１０は、本考案に係る梱包容器の他の例の封をする前の状態を示す斜視図である。梱包容器５の鍔片５１は、第２の係合孔５１ｃを有する。梱包容器５の押圧片５４は、第２の係合突起５４ａを有する。
【００３４】
鍔片５１には、両端部が内側シート５０の連続する辺の側を向くように、略Ｕ字状のスリットが設けられ、第２の係合孔５１ｃを形成する。押圧片５４には、外側シート５２と内側シート５０とが重なり合った状態で、第２の係合孔５１ｃのスリットと逆向きになる略逆Ｕ字状の切り込みが設けられ、押圧片５４の表面側から押圧することで押圧片５４の裏面に突出する、第２の係合突起５４ａを形成する。
【００３５】
鍔片５１が開口部５３を通過した状態で、第２の係合突起５４ａの先端を第２の係合孔５１ｃに挿入する。このようにして、鍔片５１と押圧片５４とを係合するロック機構を形成する。
【００３６】
また、本考案に係る梱包容器の備える開口部の形状は、図１乃至１０に限られるものではない。図１１は、本考案に係る梱包容器の他の例の封をする前の状態を示す斜視図である。
【００３７】
梱包容器６の開口部６３は、両端が同じ方向に直角に曲がったスリット状である。開口部６３は、スリットの底が、外側シート６２の連続する辺の側を向くように形成される。開口部６３により、一辺が外側シート６２と連続する略長方形状の押圧片６４が形成される。開口部６３の形状は、係止部６１ａを曲げた鍔片６１が通過することができる傾斜又は幅を有していればよく、両端が直角に曲がった形状に限られるものではない。
【００３８】
また、本考案に係る梱包容器の備える開口部の形状は、図１２に示すような、開口部７３であってもよい。図１２は、本考案に係る梱包容器の他の例の封をする前の状態を示す斜視図である。
【００３９】
梱包容器７の開口部７３は、両端が同じ方向に直角に曲がったスリット状である。開口部７３は、曲がったスリットの先端が、外側シート７２の連続する辺の側を向くように形成される。開口部７３により、一辺が外側シート７２と連続する略長方形状のガイド片７５が形成される。開口部７３の形状は、係止部７１ａを曲げた鍔片７１が通過することができる傾斜又は幅を有していればよく、両端が直角に曲がった形状に限られるものではない。
【産業上の利用可能性】
【００４０】
本考案により、容易に開封せず、しっかり封が可能でありながら、封をしやすくした梱包容器を提供することができる。
【符号の説明】
【００４１】
１、２、３、４、５、６、７・・・梱包容器
１０、２０、３０、４０、５０、６０、７０・・・内側シート
１１、２１、３１、４１、５１、６１、７１・・・鍔片
１１ａ、２１ａ、３１ａ、４１ａ、５１ａ、６１ａ、７１ａ・・・係止部
１２、２２、３２、４２、５２、６２、７２・・・外側シート
１３、２３、３３、４３、５３、６３、７３・・・開口部
２４、５４、６４・・・押圧片
３５、４５、７５・・・ガイド片
４１ｂ・・・第１の係合突起
４５ａ・・・第１の係合孔
４６、５６・・・切り欠き
５１ｃ・・・第２の係合孔
５４ａ・・・第２の係合突起
【図１】
0003206720.tif 000003
【図２】
0003206720.tif 000004
【図３】
0003206720.tif 000005
【図４】
0003206720.tif 000006
【図５】
0003206720.tif 000007
【図６】
0003206720.tif 000008
【図７】
0003206720.tif 000009
【図８】
0003206720.tif 000010
【図９】
0003206720.tif 000011
【図１０】
0003206720.tif 000012
【図１１】
0003206720.tif 000013
【図１２】
0003206720.tif 000014